(57)【要約】【課題】電子レンジのマグネトロンへ高電圧を供給する駆動回路において、高圧トランスの一次巻線の絶縁被覆が劣化した場合の異常判定と、高圧ダイオードがショートした場合の異常判定の両方ができるようにするために、電源電圧の変動に対して、異常検知時間の平準化を図ることにより、速やかな異常検知ができるようにするものである。【解決手段】マグネトロンが正常に動作しているか否かの判定を行う場合の判定基準となる上限閾値Ａと下限閾値Ｂを定め、この上限閾値Ａと下限閾値Ｂは、電源電圧の変動におけるマグネトロンが正常動作をする場合の高圧トランスの一次巻線に流れる電流値（入力電流値）の変動に倣うように変化する値であること。【選択図】図２
2012074260.tif 000002
【特許請求の範囲】
【請求項１】
高圧トランス、前記高圧トランスの二次側巻線に接続された高圧コンデンサ及び高圧ダ
イオードにより構成された駆動回路を備え、前記駆動回路によりマグネトロンに高電圧を
供給する電子レンジであって、
前記マグネトロンが正常に動作しているか否かの判定を行う場合の判定基準となる上限
閾値Ａと下限閾値Ｂを備え、
前記上限閾値Ａと下限閾値Ｂは、電源電圧の変動における前記マグネトロンが正常動作
をする場合の前記高圧トランスの一次巻線に流れる電流値（入力電流値）の変動に倣うよ
うに変化する値であることを特徴とする電子レンジ。
【請求項２】
高圧トランス、前記高圧トランスの二次側巻線に接続された高圧コンデンサ及び高圧ダ
イオードにより構成された駆動回路を備え、前記駆動回路によりマグネトロンに高電圧を
供給する電子レンジであって、
前記高圧トランスの一次側巻線回路の電流を検知する電流検知手段と、
前記マグネトロンが正常に動作しているか否かの判定を行う場合の判定基準となる上限
閾値Ａと下限閾値Ｂを備え、
前記上限閾値Ａと下限閾値Ｂは、電源電圧の変動における前記マグネトロンが正常動作
をする場合の前記高圧トランスの一次巻線に流れる電流値（入力電流値）の変動に倣うよ
うに変化する値であり、
前記電流検知手段による検出値が前記上限閾値Ａ以上または前記上限閾値Ａを超えたと
き、前記高圧トランスの二次巻線の絶縁被覆の劣化による異常と判定し、前記下限閾値Ｂ
以下または前記下限閾値Ｂより低下したとき、前記高圧ダイオードがショート（短絡）し
た異常と判定する判定手段を備えたことを特徴とする電子レンジ。
【請求項３】
前記下限閾値Ｂは、前記マグネトロンが正常動作をする場合の前記高圧トランスの一次
巻線に流れる電流値（入力電流値）よりも小さく、且つ前記高圧ダイオードがショート（
短絡）したときの前記高圧トランスの一次巻線に流れる電流値（入力電流値）よりも大き
い値であることを特徴とする請求項１または２に記載の電子レンジ。
【発明の詳細な説明】
【技術分野】
【０００１】
本発明は、マグネトロンを駆動する駆動回路の異常検知手段を備えた電子レンジに関す
る。
【背景技術】
【０００２】
一般的に、電子レンジとして、被加熱物を加熱するマグネトロンと、このマグネトロン
を駆動するために高圧トランス、高圧コンデンサ及び高圧ダイオードにより構成された駆
動回路を備え、高圧トランスの一次巻線に流れる電流を電流検出回器で検出し、この検出
値が所定値以上（例えば６Ａ以上）であれば、正常にマグネトロンが発振状態であると判
定する。一方、高圧コンデンサ及び高圧ダイオード等の高圧部品の劣化に起因して、マグ
ネトロンが異常発振または発振していない場合、電流検出回器の検出値が所定値未満（例
えば６Ａ未満）であれば、故障と判定するものがある（特許文献１参照）。
【０００３】
このように、特許文献１では、高圧トランスの一次巻線に流れる電流を電流検出回器で
検出し、この検出値が所定値（例えば６Ａ）以上か未満かによって、正常か否かの判定を
行なっている。
【先行技術文献】
【特許文献】
【０００４】
【特許文献１】特開平０９−０３５８６５号公報
【発明の概要】
【発明が解決しようとする課題】
【０００５】
このような電子レンジではごく稀であるが、高圧トランス（特に二次巻線側）から発煙
することがある。その原因として、例えば、二次巻線側のコイルの皮膜に初めから穴が開
いている為に皮膜から露出したエナメル線同士がコイルに付着している吸湿した埃により
ショートするといった場合や、高圧ダイオードの劣化により高圧ダイオードのアノードと
カソード間がショートし、その結果コイルに大きな電流が流れることによりコイルの発熱
量が増大し、二次巻線側のコイルの皮膜に穴が開き、皮膜から露出したエナメル線同士が
接触しコイル間がショートするといった場合等が考えられる。いずれにしても、発煙は部
品の劣化や使用した部品が不良品であったことが要因で起こっているが、部品の信頼性に
関しては部品の製造元に委ねるしかない。
【０００６】
しかしながら、突然電子レンジから発煙した場合にはたとえその発煙が発火につながる
ものではなかったとしても使用者が不安に感じ、商品やその商品を販売するメーカに対す
る信頼を損なうことになりかねない。
【０００７】
又、上述の特許文献１に記載の技術では、高圧トランスの一次巻線側に流れる電流を検出
し、マグネトロンの発振の有無を判定しているだけの構造であるため、高圧トランスの二
次巻線側からの発煙に対しては十分な対策を施すことができない。
【０００８】
本発明では、これらの点に鑑み、高圧トランスの二次巻線の絶縁被覆が劣化した場合の
異常判定が速やかにできるようにするために、電源電圧の変動に対して、異常検知時間の
平準化を図ることにより、速やかな異常検知ができるようにする。また、高圧トランスの
二次巻線の絶縁被覆が劣化した場合に、電源電圧が低いときにも、発煙する前に速やかに
異常と判定して、大事に至ることが無いように制御可能とするものである。
【課題を解決するための手段】
【０００９】
第１発明は、高圧トランス、前記高圧トランスの二次側巻線に接続された高圧コンデン
サ及び高圧ダイオードにより構成された駆動回路を備え、前記駆動回路によりマグネトロ
ンに高電圧を供給する電子レンジであって、前記マグネトロンが正常に動作しているか否
かの判定を行う場合の判定基準となる上限閾値Ａと下限閾値Ｂを備え、前記上限閾値Ａと
下限閾値Ｂは、電源電圧の変動における前記マグネトロンが正常動作をする場合の前記高
圧トランスの一次巻線に流れる電流値（入力電流値）の変動に倣うように変化する値であ
ることを特徴とする。
【００１０】
第２発明は、高圧トランス、前記高圧トランスの二次側巻線に接続された高圧コンデン
サ及び高圧ダイオードにより構成された駆動回路を備え、前記駆動回路によりマグネトロ
ンに高電圧を供給する電子レンジであって、前記高圧トランスの一次側巻線回路の電流を
検知する電流検知手段と、前記マグネトロンが正常に動作しているか否かの判定を行う場
合の判定基準となる上限閾値Ａと下限閾値Ｂを備え、前記上限閾値Ａと下限閾値Ｂは、電
源電圧の変動における前記マグネトロンが正常動作をする場合の前記高圧トランスの一次
巻線に流れる電流値（入力電流値）の変動に倣うように変化する値であり、前記電流検知
手段による検出値が前記上限閾値Ａ以上または前記上限閾値Ａを超えたとき、前記高圧ト
ランスの二次巻線の絶縁被覆の劣化による異常と判定し、前記下限閾値Ｂ以下または前記
下限閾値Ｂより低下したとき、前記高圧ダイオードがショート（短絡）した異常と判定す
る判定手段を備えたことを特徴とする。
【００１１】
第３発明は、第１発明または第２発明において、前記下限閾値Ｂは、前記マグネトロン
が正常動作をする場合の前記高圧トランスの一次巻線に流れる電流値（入力電流値）より
も小さく、且つ前記高圧ダイオードがショート（短絡）したときの前記高圧トランスの一
次巻線に流れる電流値（入力電流値）よりも大きい値であることを特徴とする。
【発明の効果】
【００１２】
本発明では、上限閾値Ａと下限閾値Ｂは、電源電圧の変動に対してマグネトロンが正常動
作をする場合の高圧トランスの一次巻線に流れる電流値（入力電流値）の変動に倣うよう
に変化する値であることによって、上限閾値Ａと下限閾値Ｂが電源電圧に係わらず一定値
である場合に比して、電源電圧が変動しても異常検知を速やかに行うことができ、的確に
異常を検知して発火等の事態を予防できるものとなる。
【００１３】
第２発明では、第１発明に加えて、電流検知手段による検出値と上限閾値Ａ及び下限閾値
Ｂとの比較によって、高圧トランスの二次巻線３の絶縁被覆の劣化による異常と、高圧ダ
イオードがショート（短絡）した異常のいずれの判定も可能であるため、異常検知の精度
が向上したものとなる。
【００１４】
第３発明では、下限閾値Ｂは、マグネトロンが正常動作をする場合の前記高圧トランスの
一次巻線に流れる電流値（入力電流値）と、高圧ダイオードがショート（短絡）したとき
の高圧トランスの一次巻線に流れる電流値（入力電流値）の間に設定しており、電源電圧
が低下したときの保障電圧（実施例の９０Ｖ）においても、安定した異常検知ができるも
のとなる。
【図面の簡単な説明】
【００１５】
【図１】本発明に係る電子レンジの制御回路である。
【図２】本発明に係る電子レンジの電源電圧変動に対する高圧トランスの一次巻線に流れる電流値（入力電流値）の変化、及び上限閾値Ａと下限閾値Ｂの関係を示す図である。
【図３】本発明に係る電子レンジの高圧ダイオードがショート（短絡）したときの高圧トランスの一次巻線に流れる電流値（入力電流値）の変化を示す図である。
【図４】本発明に係る電子レンジの高圧トランスの一次巻線がショート（短絡）したときの高圧トランスの一次巻線に流れる電流値（入力電流値）の変化を示す図である。
【図５】先行技術における電子レンジの電源電圧変動に対する高圧トランスの一次巻線に流れる電流値（入力電流値）の変化、及び上限閾値Ａと下限閾値Ｂの関係を示す図である。
【発明を実施するための形態】
【００１６】
本発明は、高圧トランスの二次巻線の絶縁被覆が劣化した場合の異常判定と、高圧ダイ
オードが劣化した場合の異常判定の両方ができるようにするものであり、高圧トランス、
前記高圧トランスの二次側巻線に接続された高圧コンデンサ及び高圧ダイオードにより構
成された駆動回路を備え、前記駆動回路によりマグネトロンに高電圧を供給する電子レン
ジであって、前記マグネトロンが正常に動作しているか否かの判定を行う場合の判定基準
となる上限閾値Ａと下限閾値Ｂを備え、前記上限閾値Ａと下限閾値Ｂは、電源電圧の変動
に対して前記マグネトロンが正常動作をする場合の前記高圧トランスの一次巻線に流れる
電流値（入力電流値）の変動に倣うように変化する値としており、以下に、その実施例を
記載する。
【実施例１】
【００１７】
本発明の実施例を図面に基づいて説明する。先ず図１において、本発明の電子レンジの
制御回路を説明する。本発明に係る電子レンジは、その本体内の調理室内に収容された食
品をマグネトロン１によって加熱する周知の形態である。マグネトロン１には、駆動回路
２により高電圧が供給される。駆動回路２は、高圧トランス３、高圧トランス３の二次側
巻線３Ｂに接続された高圧コンデンサ４及び高圧ダイオード５により構成され、高圧トラ
ンス３のヒータ巻線３Ｃからマグネトロン１のフィラメント１Ａに電力が供給されると共
に高電圧が供給され、所定の高電圧発振状態でもって食品を加熱する。
【００１８】
高圧トランス３の一次側巻線３Ａの一方の端子は、電子レンジ駆動リレー６の接点６Ａ
、電子レンジの調理室の前面ドアの開閉によって作動するドアスイッチ７Ａ、及び電流ヒ
ューズ８の直列回路を通して、商用の交流電源９の一方の供給ラインに接続されている。
また、高圧トランス３の一次側巻線３Ａの他方の端子は、電子レンジの調理室の前面ドア
の開閉によって作動するもう一つのドアスイッチ７Ｂ及び電流検出部１０の直列回路を通
して、商用交流電源９の他方の供給ラインに接続されている。電流検出手段としての電流
検出部１０は、商用交流電源９の他方の供給ラインを流れる電流を検出するカレントトラ
ンスと称する周知のもので構成される。
【００１９】
本発明に係る電子レンジは、マイクロコンピュータを含む制御回路部１１を備えており
、制御回路部１１は、交流電源９から供給される電圧を直流電圧に変換するＡＣ／ＤＣ変
換回路、後述の異常判定手段、電子レンジ駆動リレー６の駆動回路、電子レンジの冷却用
ファン１３の運転を制御するファン駆動リレー１２の駆動回路等を備えている。
【００２０】
制御回路部１１には、電流検出部１０、電圧検出部１４、更には電子レンジの操作スイ
ッチ部（図示せず）等からの信号が入力され、所定のプログラムにしたがって所期の動作
が進行する仕組みである。
前記電子レンジの調理室内に食品を入れ、その前面ドアが閉じられることによって、ドア
スイッチ７Ａ、７Ｂが閉じる。そして、前記操作スイッチ部のスイッチ操作によってスタ
ート信号が制御回路部１１に入力されると、電子レンジ駆動リレー６及びファン駆動リレ
ー１２に通電されて、それらの接点６Ａ及び１２Ａが閉じ、高圧トランス３の一次側巻線
３Ａに交流電源９の１００Ｖが印加されると共に、冷却用ファン１３が運転される。
【００２１】
高圧トランス３の一次側巻線３Ａに交流電源９の１００Ｖが印加されることにより、高
圧トランス３のヒータ巻線３Ｃからマグネトロン１のフィラメント１Ａに電力が供給され
ると共に、高圧トランス３の二次側巻線３Ｂに接続された高圧コンデンサ４及び高圧ダイ
オード５により、半波整流された略４０００Ｖの高電圧が印加され、所定の高電圧発振状
態でもって食品が加熱される加熱モードが、所定のプログラムにしたがって進行する。そ
して、所定の加熱モードの終了によって、電子レンジ駆動リレー６及びファン駆動リレー
１２が通電ＯＦＦとなり、それらの接点６Ａ及び１２Ａが開き、マグネトロン１への電力
供給がＯＦＦとなり、且つ冷却用ファン１３の運転がＯＦＦになる。
【００２２】
このような加熱モードの進行中に、高圧トランス３の一次側巻線３Ａに流れる電流が、
電流検出部１０によって検出され、制御回路部１１に備えた異常判定手段によって異常か
否かが時々刻々判定され、異常の判定によって、電子レンジ駆動リレー６が通電ＯＦＦと
なり、その接点６Ａが開き、マグネトロン１への電力供給がＯＦＦとなる。また、１００
Ｖ交流電源９の電圧は、電圧検出部１４によって時々刻々検出される電圧が、制御回路部
１１に入力され、そのときの電圧に対応した判定値によって、前記異常判定手段による判
定が行われるように、制御回路部１１によって制御される。なお、電流ヒューズ８は、所
定の異常電流によって切れるように設定されている。
【００２３】
マグネトロン１の正規の動作が得られない状況となる故障原因の主たるものとして、高
圧トランス３の二次巻線３Ｂの絶縁被覆が劣化した場合と、高圧ダイオード５がショート
（短絡）した場合があるため、この両方の異常判定ができるようにすることが求められる
。このため、高圧トランス３の二次巻線３Ｂの絶縁皮膜が劣化した場合は、高圧トランス
３の一次巻線３Ａと二次巻線３Ｂに流れる電流値が上昇するため、高圧トランス３が発煙
する前にその異常を検出することが必要である。このために、制御回路部１１の異常判定
手段による正常か異常かの判定基準として、正常動作時の高圧トランス３の一次巻線３Ａ
に流れる電流値よりも高い所定の電流値を上限閾値Ａとして定める。また、高圧ダイオー
ド５がショートする場合は、高圧トランス３の二次巻線３Ｂに過電流が流れて電流値は上
昇するが、図３に示すように、この初期では高圧トランス３の一次巻線３Ａに流れる電流
値は低下した状態が継続するため、この低い電流値を検出できるようにするために、正常
動作時の高圧トランス３の一次巻線３Ａに流れる電流値よりも低い所定の電流値を下限閾
値Ｂとして定める。これによって、この上限閾値Ａと下限閾値Ｂの間が正常範囲となる。
【００２４】
通常、交流電源９の電源電圧が変動した場合、その変動が所定の範囲内であれば、電子
レンジの運転を停止するのではなく、マグネトロン１が動作状態を継続するようにしてい
る。本発明の先行技術においては、交流電源９の基準の電源電圧（実施例では１００Ｖと
している）に対して、所定範囲内での電源電圧変動（例えば±１０％変動）があった場合
、９０Ｖ〜１１０Ｖの範囲の各電圧に対し、一定の上限閾値Ａ（例えば１４Ａ）と下限閾
値Ｂ（例えば６Ａ）を定め、この間を正常範囲として、異常判定を行う。一つの電子レン
ジにおいて、この具体例を図５に示す。
【００２５】
この場合、図５のＰは、一つの電子レンジの検査工程において、そのマグネトロン１が
正常動作をする場合の電源電圧が９０Ｖ〜１１０Ｖの範囲での高圧トランス３の一次巻線
３Ａに流れる電流値（入力電流値）である。これから明らかなように、マグネトロン１が
正常動作をする場合の高圧トランス３の一次巻線３Ａに流れる電流値（入力電流値）Ｐは
、電源電圧が高い状態では大きく、低い状態では小さくなる。また、図５のＱは、高圧ダ
イオード５がショートした故障状態での高圧トランス３の一次巻線３Ａに流れる電流値（
入力電流値）である。上限閾値Ａの１４Ａは、電源電圧９０Ｖ〜１１０Ｖの範囲において
、高圧トランス３の一次巻線３Ａに流れる電流値として設定した正常か異常かの境界とな
る上限電流値である。また、下限閾値Ｂの６Ａは、正常動作時の高圧トランス３の一次巻
線３Ａに流れる電流値（入力電流値）Ｐよりも小さく、且つ高圧ダイオード５がショート
した故障状態での高圧トランス３の一次巻線３Ａに流れる電流値（入力電流値）Ｑよりも
大きい電流値として設定した正常か異常かの境界となる下限電流値である。
【００２６】
この場合、図５のように、上限閾値Ａと下限閾値Ｂは、電源電圧が変動しても一定値で
あるため、Ｐの値に対して、例えば、電源電圧が１００Ｖの時に比して９０Ｖのときは、
上限閾値Ａに達するまでの時間が長くなる。また、電源電圧が１００Ｖの時に比して１１
０Ｖのときは、下限閾値Ｂに達するまでの時間が長くなり、速やかな異常検知とはいい難
い。
【００２７】
また、一つの電子レンジの検査工程において、高圧トランス３の二次巻線３Ｂの絶縁被
覆が劣化した場合には、電源電圧が９０Ｖのとき高圧トランス３の一次巻線３Ａに流れる
電流値（入力電流値）が、１４Ａ以上において発煙することが判明しているが、１０Ａ〜
１４Ａまでの電流値において発煙する可能性も否定できず、安全のためには１０Ａ〜１４
Ａまでの電流値も異常範囲と判定する構成とすることが好ましい。
【００２８】
本発明では、これらの点に鑑みて、高圧トランス３の二次巻線３Ｂの絶縁被覆が劣化し
た場合の異常判定と、高圧ダイオード５がショートした場合の異常判定の両方ができるよ
うにするために、電源電圧の変動に対して、異常検知時間の平準化を図ることにより、速
やかな異常検知ができるようにする。また、高圧トランス３の二次巻線３Ｂの絶縁被覆が
劣化した場合に、電源電圧が低いときにも、発煙する前に異常と判定して、発火に至るこ
とが無いように制御するものである。
【００２９】
このため、上限閾値Ａと下限閾値Ｂが電源電圧の変動に対応するように設定する。具体
的には、図２のように、マグネトロン１が正常動作をする場合の高圧トランス３の一次巻
線３Ａに流れる電流値（入力電流値）Ｐは、電源電圧が高い状態では大きく、低い状態で
は小さくなるため、これに倣うように、この電流値（入力電流値）Ｐに対応して上限閾値
Ａと下限閾値Ｂが変化する値となるように設定し、所期の目的を達成するものである。
【００３０】
上限閾値Ａ及び下限閾値Ｂの設定の仕方として、マグネトロン１が正常動作時の電流値
（入力電流値）Ｐに対して、上下に同じ幅の値（例えば２Ａ）で上限閾値Ａと下限閾値Ｂ
を定めることが、異常判定の設計がし易いが、電子レンジの機種によってこのように定め
ることができない場合もある。
【００３１】
このため、本発明では、マグネトロン１が正常動作時の電流値（入力電流値）Ｐに倣う
ように、電流値（入力電流値）Ｐの上方に所定幅の値で上限閾値Ａを定める。この場合、
上記のように、一つの電子レンジにおいては、電源電圧が９０Ｖのとき高圧トランス３の
一次巻線３Ａに流れる電流値（入力電流値）が、１０Ａ以上において発煙する状況となる
ことが判明しているため、この電子レンジにおいては、これを考慮して、電源電圧が９０
Ｖのときの上限閾値Ａを１０Ａ以下となるように、電源電圧９０Ｖ〜１１０Ｖの範囲にお
いて、電流値（入力電流値）Ｐに倣うように、電流値（入力電流値）Ｐの上方に所定幅の
値で上限閾値Ａを定める。この具体例として、図２に示すように、電流値（入力電流値）
Ｐの上方に略２．５Ａの幅で上限閾値Ａを定めている。
【００３２】
また、下限閾値Ｂについても同様に、電源電圧９０Ｖ〜１１０Ｖの範囲において、電流
値（入力電流値）Ｐに倣うように、電流値（入力電流値）Ｐの下方に所定幅の値で下限閾
値Ｂを定める。この場合、高圧ダイオード５がショートした故障状態での高圧トランス３
の一次巻線３Ａに流れる電流値（入力電流値）Ｑよりも上方位置に下限閾値Ｂを定めなけ
れば、高圧ダイオード５がショートした故障状態の検出ができない。特に、電源電圧が９
０Ｖのように低い状況では、電流値（入力電流値）Ｐと電流値（入力電流値）Ｑの差が少
ないため、電源電圧９０Ｖ〜１１０Ｖの範囲において、電流値（入力電流値）Ｐに対して
同じ幅で下限閾値Ｂを定めれば、電源電圧が９０Ｖのように低い状況では、下限閾値Ｂが
電流値（入力電流値）Ｑ以下となることが懸念され、その場合は異常検出ができないよう
になる。このため、電源電圧が９０Ｖのように低い状況では、電流値（入力電流値）Ｑよ
りも上位の値であって、且つ電源電圧が１００Ｖ以上の場合に比して、電流値（入力電流
値）Ｐに対する下限閾値Ｂの幅を小さく設定する。
【００３３】
このように、電源電圧が９０Ｖのように低い状況では、電流値（入力電流値）Ｐと電流
値（入力電流値）Ｑの差が少ないため、下限閾値Ｂの設定に注意を払わなければならない
。このため、検査工程において、９０Ｖ時の正常動作時の高圧トランス３の一次巻線３Ａ
に流れる電流値（入力電流値）Ｐの測定を複数回行って、そのミニマム値を９０Ｖ時の電
流値（入力電流値）Ｐとし（図２では略６．５Ａ）、電流値（入力電流値）Ｑよりも高く
、且つこの電流値（入力電流値）Ｐより所定値下げた電流値（図２では略５．９Ａ）を９
０Ｖ時の下限閾値Ｂとしている。
【００３４】
このように、本発明は、マグネトロン１が正常に動作しているか否かの判定を行う場合
の判定基準となる上限閾値Ａと下限閾値Ｂは、電源電圧の変動におけるマグネトロン１が
正常動作をする場合の高圧トランス３の一次巻線３Ａに流れる電流値（入力電流値）Ｐの
変動に倣うように変化する値である。また、下限閾値Ｂは、マグネトロン１が正常動作を
する場合の高圧トランス３の一次巻線３Ａに流れる電流値（入力電流値）よりも小さく、
且つ高圧ダイオード５がショート（短絡）したときの高圧トランス３の一次巻線３Ａに流
れる電流値（入力電流値）Ｑよりも大きい値である。
【００３５】
このような構成において、電流検知手段８による検出値が、上限閾値Ａ以上または上限
閾値Ａを超えたとき、制御回路部１１に備えた異常判定手段によって、異常と判定する。
この場合、図４に示すように、高圧トランス３の二次巻線３Ｂの絶縁被覆の劣化による異
常状態では、正常動作時の電流値（入力電流値）Ｐよりも大きくなるため、上限閾値Ａ以
上または上限閾値Ａを超えたときの異常は、主として高圧トランス３の二次巻線３Ｂの絶
縁被覆の劣化による異常であることが判明する。図４には電源電圧が１００Ｖのときの高
圧トランス３の一次巻線３Ａに流れる電流値（入力電流値）の変化を示しているが、電源
電圧９０Ｖ〜１１０Ｖの範囲においても電流値は異なるが同様の変化をする。
【００３６】
また、電流検知手段８による検出値が、下限閾値Ｂ以下または下限閾値Ｂより低下した
とき、制御回路部１１に備えた異常判定手段によって、異常と判定する。この場合、図３
に示すように、高圧ダイオード５がショート（短絡）した異常状態では、当初は正常動作
時の電流値（入力電流値）Ｐよりもかなり小さくなるため、この段階で制御回路部１１に
備えた異常判定手段によって判定すれば、高圧ダイオード５がショート（短絡）した異常
であることが判明する。図３には電源電圧が１００Ｖのときの高圧トランス３の一次巻線
３Ａに流れる電流値（入力電流値）の変化を示しているが、電源電圧９０Ｖ〜１１０Ｖの
範囲においても電流値は異なるが同様の変化をする。
【００３７】
このように、本発明は、電流検知手段８による検出値が、上限閾値Ａ以上または上限閾
値Ａを超えたとき、制御回路部１１に備えた異常判定手段によって、高圧トランス３の二
次巻線３Ｂの絶縁被覆の劣化による異常と判定し、下限閾値Ｂ以下または下限閾値Ｂより
低下したとき、制御回路部１１に備えた異常判定手段によって、高圧ダイオード５がショ
ート（短絡）した異常と判定することができるものとなる。
【００３８】
なお、電源電圧が１００Ｖの基準電圧に対して９０Ｖのように低い時は、電子レンジが
スタートした正常動作時では、高圧トランス３の一次巻線３Ａの電流は徐々に増加して行
く。これは、マグネトロンのフィラメント１Ａが加熱されることによると推察される。こ
のため、電源電圧が１００Ｖの基準電圧に対して低い時は、その電源電圧が低いままで安
定した電圧状態となった段階で、異常判定ができるようにすれば、異常判定を正規に行な
うことができるようになる。
【００３９】
この点に鑑み、本発明では、電源電圧を電圧検出部１４で検出し、制御回路部１１に備
えた電圧判定手段によって、電源電圧が１００Ｖの基準電圧に対して低い時は、その低い
程度に応じて、制御回路部１１に備えた異常判定手段による判定時間を長くして、電子レ
ンジがスタートした時点での異常判定手段によるミス判定が生じないようにしている。
【００４０】
上記の説明では、交流電源９の電源電圧が変動範囲における異常判定範囲を電源電圧９
０Ｖ〜１１０Ｖの範囲に設定したが、これに限定されるものではなく、例えば１００Ｖの
基準電圧に対して±５％の電源電圧９５Ｖ〜１０５Ｖの範囲に設定したものであってもよ
い。また、正常動作時の高圧トランス３の一次巻線３Ａに流れる電流値（入力電流値）Ｐ
、及び高圧ダイオード５がショート（短絡）したときの高圧トランス３の一次巻線３Ａに
流れる電流値（入力電流値）Ｑは、電子レンジの機種によって異なるため、その機種ごと
に測定した電流値を採用すればよい。
【産業上の利用可能性】
【００４１】
本発明は、上記実施例に限定されず、種々の電子レンジに適用できるものであり、本発
明の技術範囲において種々の形態を包含するものである。
【符号の説明】
【００４２】
１・・・・・マグネトロン
２・・・・・駆動回路
３・・・・・高圧トランス
３Ａ・・・・一次巻線
３Ｂ・・・・二次巻線
４・・・・・高圧コンデンサ
５・・・・・高圧ダイオード
６・・・・・電子レンジ駆動リレー
８・・・・・電流ヒューズ
９・・・・・電源
１０・・・・電流検出部（電流検出手段）
１１・・・・制御手段
【図１】
2012074260.tif 000003
【図２】
2012074260.tif 000004
【図３】
2012074260.tif 000005
【図４】
2012074260.tif 000006
【図５】
2012074260.tif 000007